(57)【要約】【課題】移動体を移動させる際に、所望の位置で係止させることができる電子部品を提供する。【解決手段】ケース１０内にスライド移動自在に設置された摺動型物（移動体）２０と、摺動型物２０のスライド移動によって電気的出力が変化する電気的機能部と、摺動型物２０がスライド移動する際に摺動型物２０に設けた係合部２２，２３，２４に順次係合することで摺動型物２０を各係合位置に係止する弾接部材１５とを備えたスライド式スイッチ１において、弾接部材１５を、直線状の本体部１６ｂと該本体部１６の端部からその長手方向の側方に向かって突出してケース１０に連結された連結部１６ａ，１６ａとからなる弾性を有するアーム部１６と、本体部１６ｂの中間部を摺動型物２０に向かって突出させた突出部１７とを備えた形状にしたことで、弾接部材１５に適切な弾接力を生じさせるように構成した。【選択図】図１
2008071591.tif 000002
【特許請求の範囲】
【請求項１】
移動方向に沿って移動自在に設置された移動体と、前記移動体の移動によって電気的出力が変化する電気的機能部と、前記移動体が移動する際に前記移動体に設けた複数の係合部に順次係合することで前記移動体をそれぞれの係合位置に係止する弾接部材と、を備えた電子部品において、
前記移動体を移動自在に収納するケースを備え、
前記弾接部材は、直線状の本体部と該本体部の端部からその長手方向の側方に向かって突出して前記ケースに連結されている連結部とからなる弾性を有するアーム部と、前記アーム部の本体部の一部を前記移動体側に向かって突出させた前記係合部に係合する突出部とを具備してなることを特徴とする電子部品。
【請求項２】
請求項１に記載の電子部品において、
前記移動体に設けた係合部は、該移動体の移動方向に沿って形成した少なくとも三個の係合部からなり、その中央の係合部と両側の係合部との間をそれぞれ仕切るように設けられた仕切部の前記弾接部材の突出部が摺接する摺接面を、両側の係合部側から中央の係合部側に向かって上昇する傾斜面状に形成したことを特徴とする電子部品。
【請求項３】
請求項２に記載の電子部品において、
前記両側の係合部よりも前記中央の係合部の方が、前記弾接部材が係合する係合深さが深くなるように構成されていることを特徴とする電子部品。
【発明の詳細な説明】
【技術分野】
【０００１】
本発明は、移動方向に沿って移動自在に設置された移動体と、該移動体の移動によって電気的出力が変化する電気的機能部とを備えた電子部品に関するものである。
【背景技術】
【０００２】
従来、移動方向に沿って移動自在に設置された移動体と、該移動体の移動によってその電気的出力が変化する電気的機能部とを備えた電子部品がある。そしてこの種の電子部品には、特許文献１に示すように、移動体を収納するケースなどに設けた弾接部と、移動体にその移動方向に沿って形成した複数の係合部とを備え、移動体が移動する際に、弾接部が複数の係合部に順次係合することで、移動体をそれぞれの係合位置に係止するように構成したものがある。またこの電子部品では、ケースに設けた弾接部は、両端部がケースに連結された弾性を有する直線状のアーム部と、該アーム部の中間部を移動体側に向かって突出させた突出部とを備えて構成されている。
【特許文献１】実開昭６１−１６１９２６号公報
【発明の開示】
【発明が解決しようとする課題】
【０００３】
上記構成の電子部品では、弾接部の突出部が一の係合部に係合する位置から隣接する他の係合部に係合する位置まで移動体が移動する際に、突出部が一の係合部と隣接する他の係合部との間に設けた仕切部を乗り越える。しかしながら上記したように、弾接部のアーム部は直線状でその両端部がケースに連結されているので、アーム部は上下方向にしか弾性変形することができない上に、弾性変形するアーム部の長さもあまり長く確保することができない。そのため、弾接部の弾接力が強くなりすぎてしまうという問題があった。そうすると、突出部が仕切部に乗り上げるために移動体を強い力で操作しなければならないので、突出部が仕切部に乗り上げた勢いで隣接する係合部を越えて行き過ぎてしまい、その先の別の係合部に係合してしまう場合があった。このことから、移動体を移動させる際に所望の位置で係止させる操作が行い難く、電子部品の良好な操作性が阻害されるおそれがあった。
【０００４】
本発明は上述の点に鑑みてなされたものでありその目的は、簡易な構造にて、移動体を移動させる際に所望の位置で係止させる操作を行い易くすることで、操作性を良好にすることができる電子部品を提供することにある。
【課題を解決するための手段】
【０００５】
上記課題を解決するため本願の請求項１に記載の発明は、移動方向に沿って移動自在に設置された移動体と、前記移動体の移動によって電気的出力が変化する電気的機能部と、前記移動体が移動する際に前記移動体に設けた複数の係合部に順次係合することで前記移動体をそれぞれの係合位置に係止する弾接部材と、を備えた電子部品において、前記移動体を移動自在に収納するケースを備え、前記弾接部材は、直線状の本体部と該本体部の端部からその長手方向の側方に向かって突出して前記ケースに連結されている連結部とからなる弾性を有するアーム部と、前記アーム部の本体部の一部を前記移動体側に向かって突出させた前記係合部に係合する突出部とを具備してなることを特徴とする。
【０００６】
本願の請求項２に記載の発明は、請求項１に記載の電子部品において、前記移動体に設けた係合部は、該移動体の移動方向に沿って形成した少なくとも三個の係合部からなり、その中央の係合部と両側の係合部との間をそれぞれ仕切るように設けられた仕切部の前記弾接部材の突出部が摺接する摺接面を、両側の係合部側から中央の係合部側に向かって上昇する傾斜面状に形成したことを特徴とする。
【０００７】
本願の請求項３に記載の発明は、請求項２に記載の電子部品において、前記両側の係合部よりも前記中央の係合部の方が、前記弾接部材が係合する係合深さが深くなるように構成されていることを特徴とする。
【発明の効果】
【０００８】
本願の請求項１に記載の発明によれば、弾接部材は、直線状の本体部と該本体部の端部からその長手方向の側方に向かって突出してケースに連結されている連結部とからなる弾性を有するアーム部と、アーム部の本体部の一部を移動体側に向かって突出させた突出部とを具備してなるので、本体部のケースに対する上下方向への弾性変形と、連結部のケースに対して傾く方向（回動する方向）への弾性変形とを合成した分だけアーム部が弾性変形するようになるので、従来よりもその弾性変形量を大きくすることができる。これにより、弾接部材に適切な弾接力を生じさせることが可能となるので、移動体を移動させる際に所望の位置で係止させる操作が行い易くなる。また、アーム部の弾性変形部分の長さを従来よりも長く確保できることでアーム部の耐久性が増すため、長期に渡って弾接部材の弾接力が変化せず操作性を一定に保つことができる電子部品となる。
【０００９】
本願の請求項２に記載の発明によれば、移動体に設けた三個の係合部のうち、中央の係合部と両側の係合部との間をそれぞれ仕切るように設けられた仕切部の摺接面を、両側の係合部側から中央の係合部側に向かって上昇する傾斜面状に形成したので、移動体が一方の係合部の位置から中央の係合部の位置へ移動する際に、弾接部材がそれらの間の仕切部をスムーズに乗り越えることができ、且つ、弾接部材が中央の係合部からさらにその先の係合部へ移動しようとしても、それらの間の仕切部には簡単に乗り上げることができなくなる。これにより、移動体を両側のいずれかの位置から中央の位置に移動させる際に、中央の位置を越えてその先まで行き過ぎてしまうことを防止できるので、電子部品の操作性が良好になる。
【００１０】
本願の請求項３に記載の発明によれば、両側の係合部よりも中央の係合部の方が、弾接部材が係合する係合深さが深くなるように構成されているので、移動体が一方の係合部の位置から中央の係合部の位置まで移動する際に、弾接部材が一方の係合部から容易に抜け出して中央の係合部に係合でき、且つ、中央の係合部からは抜け出し難くすることができる。これにより、移動体を両側のいずれかの位置から中央の位置に移動させる際に、中央の位置を越えてその先まで行き過ぎてしまうことをより効果的に防止できるので、電子部品の操作性がさらに良好になる。
【発明を実施するための最良の形態】
【００１１】
以下、本発明の実施形態を図面に基づいて詳細に説明する。図１は、本発明の一実施形態にかかる電子部品（以下、本実施形態では「スライド式スイッチ」という。）を上側から見た分解斜視図であり、図２は、組み立てたスライド式スイッチを示す概略側断面図である。これらの図に示すスライド式スイッチ１は、ケース１０と、移動体（以下、本実施形態では「摺動型物」という。）２０と、摺動子３０と、フレキシブル回路基板４０と、取付部材５０とを具備して構成されている。以下、各構成部品について説明する。なお以下の説明では、摺動型物２０がケース１０内でスライド移動する方向（図１，図２の矢印で示す直線方向）をスライド移動方向と呼ぶ。
【００１２】
ケース１０は、金属製の板状部材を折り曲げて構成され、スライド移動方向を長手方向とする略長方形の平板状に形成された上面部１１と、上面部１１の四辺を下方に略直角に折り曲げてなる側壁部１２ａ〜１２ｄとを備えた形状で、下面側には、側壁部１２ａ〜１２ｄで囲まれた凹部状の収納部１３を有している。上面部１１の中央には、スライド移動方向を長手方向とする略長方形状の開口部１４が設けられ、開口部１４内には下記する摺動型物２０の係合部２２，２３，２４に係合する弾接部材１５が設けられている。弾接部材１５は、その両端が開口部１４の長手方向の一辺１４ｂに固定された弾性（可撓性）を有する細片状のアーム部１６と、該アーム部１６の中間部を下方に湾曲させて収納部１３内に向かって突出させた突出部１７とを具備して構成されている。さらに詳細に説明すると、このアーム部１６は、開口部１４の一辺１４ｂのスライド移動方向の両端部近傍からスライド移動方向と直交する方向に向かって突出する一対の連結部１６ａ，１６ａと、該連結部１６ａ，１６ａの先端同士を結んでスライド移動方向に向かって直線帯状に延設された本体部１６ｂとを備えて一体に形成されている。突出部１７は、本体部１６ｂのスライド移動方向の中間位置に形成されている。
【００１３】
一方、ケース１０のスライド移動方向に平行な両側壁部１２ａ，１２ｂの下端には、下方に伸びる細片状の固定部１８が二個ずつ設けられている。また、その一方の側壁部１２ａの固定部１８，１８の間の下端には、下記する摺動型物２０の操作レバー２８を挿通させるための略コ字状に切り欠かれた切欠部１９が形成されている。
【００１４】
摺動型物２０は、所定の厚さ寸法を有する平板形状に形成された合成樹脂の成型品で、ケース１０の収納部１３内でスライド移動方向に沿ってスライド移動自在となるように、スライド移動方向を長手方向とする略長方形状に形成されている。この摺動型物２０の上面２０ｅの中央には、複数（本実施形態では三個）の係合部２２，２３，２４が設けられている。各係合部２２，２３，２４は、摺動型物２０のスライド移動方向を横切って（スライド方向に直交して）並べて形成された凹部からなる。そして図２に示すように、そのうちの中央の係合部２３は、摺動型物２０の上面２０ｅのスライド移動方向の中間位置に形成された矩形状の凹部であり、その両側の係合部２２，２４は、中央の係合部２３よりもスライド移動方向のへこみ寸法が小さい矩形状の凹部である。両側の係合部２２，２４は互いに同じ大きさ・形状であって、中央の係合部２３に対してスライド移動方向で対称に配置されている。また、上面２０ｅの両係合部２２，２４のスライド移動方向の両外側には、スライド移動方向で係合部２２，２４に向かって次第に下降する傾斜面２２ａ，２４ａが形成されている。さらに、中央の係合部２３と両側の係合部２２，２４との間には、それぞれの間を仕切るように設けられた突起状の仕切部２５，２６が形成されている。仕切部２５，２６の上面２５ａ，２６ａは、摺動型物２０がスライド移動する際に弾接部材１５の突出部１７が摺接する摺接面になっている。この摺接面２５ａ，２６ａは、両側の係合部２２，２４側から中央の係合部２３側に向かって上昇する傾斜面状に形成されている。また、各係合部２２，２３，２４が上記のような形状になっていることで、両側の係合部２２，２４よりも中央の係合部２３の方が、弾接部材１５の突出部１７が係合する係合深さが深くなるように構成されている。
【００１５】
一方、摺動型物２０の下面には、摺動子３０を固定するための二個の小突起状の固定部２７が設けられている。また、この摺動型物２０には、図１に示すように、摺動型物２０をスライド移動させる操作を行うための操作レバー２８が一体に形成されている。操作レバー２８は、摺動型物２０のスライド移動方向に平行な一方の側面２０ａから突出してスライド移動方向に対して直交する水平方向に向かい、その先が直角に屈曲して上方に向かって直線状に延び、先端が上面２０ｅよりも上方に突出する形状に形成されている。なお、図２及び下記の図３では、操作レバー２８の図示は省略している。
【００１６】
摺動子３０は、導電性を有する弾性金属板によって構成され、平板状の基部３１の一端から二本の摺動冊子３２を突出し、これらを基部３１の下面側に折り曲げて、その先端に、下方に向かって凸となるように湾曲させた摺接接点３３が形成されている。また基部３１には、二個の貫通穴からなる取付固定部３４が設けられている。
【００１７】
フレキシブル回路基板４０は、可撓性を有する合成樹脂フイルム（ポリエチレンテレフタレートフイルム〔ＰＥＴフイルム〕等）製で、その表面に図示しない回路パターンが形成されていると共に、摺動子３０の摺接接点３３が摺接する位置にスイッチパターン４１が形成されている。回路パターンは、このフレキシブル回路基板４０の一端に設けた引出部４３を介して外部に引き出されている。一方、このフレキシブル回路基板４０のケース１０の各固定部１８に対応する位置には、矩形状の開口部からなる取付固定部４２が形成されている。
【００１８】
取付部材５０は、金属製あるいは合成樹脂製などの硬質平板であり、フレキシブル回路基板４０の取付固定部４２に対応する位置に、取付固定部４２と同形状の開口部からなる取付固定部５２を設けて構成されている。
【００１９】
次に、スライド式スイッチ１の組み立て手順を説明する。まず、摺動型物２０に摺動子３０を取り付ける。この際、摺動型物２０の下面の固定部２７を摺動子３０の取付固定部３４に挿通させ、基部３１の下面側に突出した固定部２７の先端を熱カシメして固定する。そしてこの摺動子３０を取り付けた摺動型物２０を、ケース１０の下面側から収納部１３内に収納する。この際、操作レバー２８の根元部分をケース１０の切欠部１９に配置して、操作レバー２８の一部をケース１０の側壁部１２ａの側方及び上方に突出させて配置する。またその状態で、ケース１０の弾接部材１５の突出部１７が、収納部１３内に収納された摺動型物２０の係合部２２，２３，２４のいずれかに弾接係合する。
【００２０】
その状態で、ケース１０の下面側にフレキシブル回路基板４０と取付部材５０とをこの順番に重ねて取り付ける。この際、ケース１０の固定部１８を、フレキシブル回路基板４０の取付固定部４２と取付部材５０の取付固定部５２とに挿通させて、取付部材５０の下面側に突出する固定部１８をそれぞれ内側に向かって折り曲げることで、フレキシブル回路基板４０と取付部材５０を固定する。以上により、スライド式スイッチ１の組み立てが完了する。
【００２１】
上記の手順で組み立てられたスライド式スイッチ１は、図２に示すように、ケース１０内にスライド移動自在に設置された摺動型物２０を備え、摺動型物２０に取り付けた摺動子３０の摺接接点３３と、摺接接点３３が摺接するフレキシブル回路基板４０に形成したスイッチパターン４１とで、摺動型物２０のスライド移動により電気的出力が変化する電気的機能部６０が構成されている。また、直線帯状の本体部１６ｂと該本体部１６ｂの両端部からその長手方向の側方に向かって突出してケース１０に連結されている連結部１６ａ，１６ａとからなる弾性を有するアーム部１６と、アーム部１６の本体部１６ｂの中間部を摺動型物２０側に向かって突出させた突出部１７とを具備して構成されている弾接部材１５と、摺動型物２０がスライド移動する際に弾接部材１５の突出部１７が順次係合する摺動型物２０に設けた複数の係合部２２，２３，２４を備えている。
【００２２】
図３は、スライド式スイッチ１の動作を説明するための図である。同図及び図２を用いてスライド式スイッチ１の動作を説明する。まず、図３に示す状態で、摺動型物２０がケース１０の収納部１３内のスライド移動方向の一端側に位置している。この位置で、弾接部材１５の突出部１７が係合部２４に係合している。この位置から、摺動型物２０の操作レバー２８（図１参照）を操作することで、摺動型物２０を同図の右方向に向かってスライド移動させると、弾接部材１５のアーム部１６が弾性変形し、突出部１７が係合部２４と係合部２３の間の仕切部２６を乗り越えて、図２に示すように中央の係合部２３に係合する。その際、操作者にクリック感覚が伝わると共に、摺動型物２０のスライド移動によって摺動子３０の摺接接点３３がスイッチパターン４１上を摺接してスイッチのオンオフ出力が変化する。弾接部材１５の突出部１７が中央の係合部２３に係合した状態で、摺動型物２０がケース１０の収納部１３内のスライド移動方向の中間位置に係止された状態になる。
【００２３】
図２に示す位置から、摺動型物２０の操作レバー２８を操作することで、摺動型物２０をさらに同図の右方向にスライド移動させると、弾接部材１５のアーム部１６が弾性変形し、突出部１７が係合部２３と係合部２２との間の仕切部２５を乗り越えて係合部２２に係合する。その際にも、操作者にクリック感覚が伝わると共に、摺動型物２０のスライド移動によって摺動子３０の摺接接点３３がスイッチパターン４１上を摺接してスイッチのオンオフ出力が変化する。一方で、その位置から摺動型物２０を左方向へスライド移動させると、弾接部材１５の突出部１７が係合部２２と係合部２３の間の仕切部２５を前記とは逆方向に乗り越えて、図２に示す係合部２３に係合する位置に戻る。
【００２４】
このスライド式スイッチ１によれば、弾接部材１５は、直線状の本体部１６ｂと該本体部１６ｂの両端部からその長手方向の側方に向かって突出してケース１０に連結されている連結部１６ａ，１６ａとからなる弾性を有するアーム部１６と、アーム部１６の本体部１６ｂの一部を摺動型物２０側に向かって突出させた突出部１７とを具備してなるので、アーム部１６が、本体部１６ｂのケース１０に対する上下方向への弾性変形と、連結部１６ａ，１６ａのケース１０に対して傾く方向（スライド移動方向と直交する面内で回動する方向）への弾性変形を合成した分だけ弾性変形するようになるので、簡易な構造にて、従来よりもその弾性変形量を大きくすることができる。これにより、弾接部材１５に適切な弾接力を生じさせることが可能となるので、従来のように弾接部の弾接力が強くなりすぎるということがなく、摺動型物２０を移動させる際に所望の位置で係止させる操作が行い易くなる。また、アーム部１６を上記のような形状にしたことでその弾性変形部分の長さ寸法を長く確保でき、アーム部１６の耐久性が増すため、長期に渡って弾接部材１５の弾接力が変化せず操作性を一定に保つことができるスライド式スイッチ１となる。
【００２５】
また、このスライド式スイッチ１によれば、摺動型物２０に設けた三個の係合部２２，２３，２４のうち、中央の係合部２３と両側の係合部２２，２４との間をそれぞれ仕切るように設けた仕切部２５，２６の摺接面２５ａ，２６ａを、両側の係合部２２，２４側から中央の係合部２３側に向かって上昇する傾斜面状に形成しているので、摺動型物２０がスライド移動方向の両側の一方の位置から中央の位置まで移動する際に、両側の一方の係合部２２又は２４から中央の係合部２３へ移動する弾接部材１５の突出部１７が、それらの間の仕切部２５又は２６をスムーズに乗り越えることができ、且つ、弾接部材１５の突出部１７が中央の係合部２３からさらにその先の係合部２４又は２２へ移動しようとしても、それらの間の仕切部２６又は２５には簡単に乗り上げることができなくなる。これにより、摺動型物２０をスライド移動方向の両側のいずれかの位置から中央の位置に移動させる際に、摺動型物２０が中央の位置を越えてその先まで行き過ぎてしまうことを防止できるので、スライド式スイッチ１の操作性が良好になる。
【００２６】
またこのスライド式スイッチ１では、両側の係合部２２，２４よりも中央の係合部２３の方がスライド移動方向のへこみ寸法が大きく形成されていることで、両側の係合部２２，２４よりも中央の係合部２３の方が弾接部材１５の突出部１７が係合する係合深さが深くなるように構成されている。そのため、摺動型物２０がスライド移動方向に沿ってケース１０内の両側の一方の位置から中央の位置まで移動する際に、弾接部材１５の突出部１７が一方の係合部２２又は２４から容易に抜け出して中央の係合部２３に係合でき、且つ、中央の係合部２３からその先の係合部２４又は２２へは抜け出し難くすることができる。これにより、摺動型物２０をスライド移動方向の両側のいずれかの位置から中央の位置に移動させる際に、摺動型物２０が中央の位置を越えてその先まで行き過ぎてしまうことをより効果的に防止できるので、スライド式スイッチ１の操作性がさらに良好になる。
【００２７】
また、本実施形態のスライド式スイッチ１では、係合部２２，２３，２４を所定深さの凹部として形成していることで、突出部１７が係合部２２，２３，２４に係合する際に、突出部１７を係合部２２，２３，２４の上端の角部２２ｂ，２３ｂ，２４ｂで係止し、その先端部（下端部）を係合部２２，２３，２４の内部に配置することで、突出部１７をガタつかせずに係合部２２，２３，２４に係合させるようにしている。ところが、摺動型物２０をスライド移動させる操作を繰り返し行っているうちに、突出部１７の摺接によって係合部２２，２３，２４の上端の角部２２ｂ，２３ｂ，２４ｂが次第に擦り減って、係合部２２，２３，２４の開口が拡がってしまうため、もしも、係合部２２，２３，２４の深さを本実施形態の深さよりも浅く形成していると、突出部１７が係合部２２，２３，２４に係合する際に、突出部１７の下端部が係合部２２，２３，２４の底面に当接してガタつきを生じ、摺動型物２０がその位置で確実に係止されなくなってしまうおそれがある。しかしながら、本実施形態のスライド式スイッチ１では、係合部２２，２３，２４を、その上端の角部２２ｂ，２３ｂ，２４ｂが擦り減った場合でも突出部１７の先端部が係合部２２，２３，２４の底面に接触しない十分な深さに形成している。こうすることで、スライド式スイッチ１の繰り返しの使用によって係合部２２，２３，２４の上端の角部２２ｂ，２３ｂ，２４ｂが擦り減った場合でも、突出部１７をガタつかせずに係合部２２，２３，２４に係合させて、摺動型物２０をその位置で確実に係止させることが可能となるので、スライド式スイッチ１の良好な操作性を長期に渡って維持できるようになる。
【００２８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記実施形態のスライド式スイッチ１が備える弾接部材１５は、アーム部１６の本体部１６ｂの両側の端部が連結部１６ａ，１６ａを介してケース１０に連結されていて、本体部１６ｂの中間位置に突出部１７が形成されているいわゆる両持ち形状になっているが、これ以外にも、アーム部１６の本体部１６ｂは、その一方の端部のみから連結部１６ａが突出してケース１０に連結され、他方の端部あるいはその近傍に突出部１７が設けられたいわゆる片持ち形状とすることも可能である。また、摺動型物２０に形成する係合部の数は三個以上であれば他の個数であっても良く、上記実施形態に示す三個には限定されない。また、各係合部２２，２３，２４の具体的な形状も上記実施形態に示す形状には限定されない。
【００２９】
また、上記実施形態の電子部品は、摺接接点３３が摺接するスイッチパターン４１を備えたスライド式スイッチ１であるが、フレキシブル回路基板４０上に、スイッチパターン４１に代えて抵抗体パターンを形成することで、スライド式スイッチ１をスライド式可変抵抗器とすることなども可能である。また本発明の電子部品は、移動体である摺動型物が直線方向に沿ってスライド移動するように構成したスライド式電子部品には限られず、所定の移動方向に沿って移動自在に設置された移動体を備えた電子部品であれば、他の種類の電子部品でも良く、例えば、回転移動する回転体を備えた回転式電子部品とすることも可能である。
【００３０】
また、スライド式スイッチ１が備えるフレキシブル回路基板４０に代えて、硬質の回路基板を用いることも可能である。その場合は、硬質の回路基板をケース１０の下面に直接取り付けることで、取付部材５０を省略することができる。
【図面の簡単な説明】
【００３１】
【図１】本発明の一実施形態にかかるスライド式スイッチの構成部品を上方から見た分解斜視図である。
【図２】スライド式スイッチの構成を示す概略側断面図である。
【図３】スライド式スイッチの動作を説明するための図である。
【符号の説明】
【００３２】
１                スライド式スイッチ（電子部品）
１０              ケース
１１              上面部
１３              収納部
１４              開口部
１５              弾接部材
１６              アーム部
１６ａ            連結部
１６ｂ            本体部
１７              突出部
２０              摺動型物
２２，２３，２４  係合部
２２ａ，２４ａ    傾斜面
２５，２６        仕切部
２５ａ，２６ａ    摺接面
２８              操作レバー
３０              摺動子
３３              摺接接点（電気的機能部）
４０              フレキシブル回路基板
４１              スイッチパターン（電気的機能部）
５０              取付部材
６０              電気的機能部
【図１】
2008071591.tif 000003
【図２】
2008071591.tif 000004
【図３】
2008071591.tif 000005